(57)【要約】【課題】室内を暖房する機能は十分に確保しながら、室内の空気も十分に清浄化することが可能な室内暖房装置を提供する。【解決手段】室内暖房装置の吸気口または吹出口の少なくとも一方に、空気または温風が通り抜け可能な多孔質材料またはメッシュ材料で形成されて、触媒機能が付加された複数の清浄化板を設ける。各々の清浄化板は、空気または温風の流れに沿った向きに設けるが、それら複数の清浄化板を、空気または温風の流れと交叉する方向に配列する。清浄化板は、空気または温風が通り抜け可能な材料で形成されているので、表面での速度境界層の形成が抑制されて、清浄化板と清浄化板との間を通過する空気または温風の大部分が清浄化板に接触するようになる。その結果、通気抵抗を小さく抑えて暖房機能は十分に確保したまま、空気または温風を効率よく清浄化することが可能となる。【選択図】図１
2018179419.tif 000002
【特許請求の範囲】
【請求項１】
吸気口から室内の空気を吸い込んで、吹出口から前記室内に向けて温風を吹き出す室内暖房装置において、
前記吸気口または前記吹出口の少なくとも一方には、前記空気または前記温風が通り抜け可能な多孔質材料またはメッシュ材料で形成されると共に、前記空気または前記温風を清浄化する触媒機能が付加された複数の清浄化板が設けられており、
前記複数の清浄化板は、前記空気または前記温風の流れに沿った向きに設けられた各々の前記清浄化板が、前記空気または前記温風の流れと交叉する方向に配列されている
ことを特徴とする室内暖房装置。
【請求項２】
請求項１に記載の室内暖房装置において、
前記吸気口または前記吹出口の少なくとも一方は、複数の前記清浄化板が配列されることによって、前記空気または前記温風の流れと交叉する方向に配列された複数の間隙に区画されており、
前記複数の間隙の中の一部の前記間隙には、前記空気または前記温風の流れを阻害する阻害部が設けられている
ことを特徴とする室内暖房装置。
【請求項３】
請求項１または請求項２に記載の室内暖房装置において、
前記複数の清浄化板は、前記吸気口に設けられている
ことを特徴とする室内暖房装置。
【請求項４】
請求項１ないし請求項３の何れか一項に記載の室内暖房装置において、
前記複数の清浄化板には、光を受けることによって前記空気または前記温風を清浄化する機能が活性化する光触媒機能が付加されている
ことを特徴とする室内暖房装置。
【請求項５】
請求項４に記載の室内暖房装置において、
前記清浄化板に向けて紫外光を照射する紫外光照射部を備える
ことを特徴とする室内暖房装置。
【発明の詳細な説明】
【技術分野】
【０００１】
本発明は、吸気口から室内の空気を吸い込んで、吹出口から室内に向けて温風を吹き出す室内暖房装置に関する。
【背景技術】
【０００２】
室内の空気を吸い込んで、高温の燃焼排気と混合させた後、温風として室内に吹き出すことによって暖房する室内暖房装置は広く使用されている。あるいは、室内から吸い込んだ空気と、高温の燃焼排気あるいは温水とを熱交換させることによって温風を生成し、得られた温風を室内に吹き出す方式の室内暖房装置も広く使用されている。これらの室内暖房装置では、温風として吹き出された空気は室内を暖めた後、再び室内暖房装置に吸い込まれて温風として室内に吹き出される。このため、室内の空気は室内暖房装置を経由して循環することになる。
【０００３】
そこで、室内暖房装置が室内の空気を取り入れる吸気口のフィルターに触媒機能を付加しておき、悪臭の元となる成分などを分解することによって、室内の空気を清浄化する技術が提案されている（特許文献１）。あるいは、温風の吹出口に設けられたルーバーの表面に触媒成分を塗布しておくことで、室内の空気を清浄化する技術も提案されている（特許文献２）。
【先行技術文献】
【特許文献】
【０００４】
【特許文献１】特開平９−１３３４０９号公報
【特許文献２】特開平９−１３３４０８号公報
【発明の概要】
【発明が解決しようとする課題】
【０００５】
しかし、提案されている技術では、室内を暖房する機能と、空気を清浄化する機能とを、同時に満足させることが難しいという問題があった。これは次のような理由による。先ず、室内暖房装置の吸気口のフィルターに触媒機能を付加しておく技術では、フィルター部分で大きな圧損が生じるので、室内暖房装置が吸い込む空気量が不足して、室内の暖房機能が低下する。これを避けようとしてフィルターの目を粗くすると、室内から吸い込んだ空気とフィルターとの接触面積が少なくなって、空気を十分に清浄化することができなくなる。
【０００６】
また、温風の吹出口のルーバーに触媒成分を塗布しておく技術では、圧損が増加することは無いものの、吹き出される温風の多くがルーバーとルーバーとの間を素通りしてしまうので、空気を清浄化することは困難である。
【０００７】
この発明は、従来の技術が有する上述した課題に対応してなされたものであり、室内を暖房する機能は十分に確保しながら、室内の空気も十分に清浄化することが可能な室内暖房装置を提供することを目的とする。
【課題を解決するための手段】
【０００８】
上述した課題を解決するために、本発明の室内暖房装置は次の構成を採用した。すなわち、
吸気口から室内の空気を吸い込んで、吹出口から前記室内に向けて温風を吹き出す室内暖房装置において、
前記吸気口または前記吹出口の少なくとも一方には、前記空気または前記温風が通り抜け可能な多孔質材料またはメッシュ材料で形成されると共に、前記空気または前記温風を清浄化する触媒機能が付加された複数の清浄化板が設けられており、
前記複数の清浄化板は、前記空気または前記温風の流れに沿った向きに設けられた各々の前記清浄化板が、前記空気または前記温風の流れと交叉する方向に配列されている
ことを特徴とする。
【０００９】
かかる本発明の室内暖房装置においては、空気または温風が通り抜け可能な多孔質材料またはメッシュ材料で形成されて、空気または温風を清浄化する触媒機能が付加された複数の清浄化板が、吸気口または吹出口の少なくとも一方に設けられている。そして、それら複数の清浄化板は、各々の清浄化板については、空気または温風の流れに沿った向きに設けられているが、それらの清浄化板が、空気または温風の流れと交叉する方向に配列されている。
【００１０】
空気または温風が通り抜け可能で、尚且つ、触媒機能が付加された板状部材を、吸気口あるいは吹出口を覆うようにして設ければ、吸気口あるいは吹出口を通過する空気あるいは温風を、触媒機能を用いて効率よく清浄化することができるが、その一方で、通気抵抗が大きくなるため、暖房機能が低下する。また、表面に触媒機能が付加されているが、空気または温風が通り抜けできない複数の板状部材を、空気または温風の流れと交叉する方向に配列した場合、空気あるいは温風の通気抵抗は小さく抑えることができるが、大部分の空気あるいは温風は、板状部材の表面に触れることなく、複数の板状部材の間を通過してしまうので、空気あるいは温風を浄化することが困難である。ところが、本願の発明者は、それらの板状部材が、空気または温風が通り抜け可能な多孔質材料またはメッシュ材料で形成されている場合には、各々の板状部材が空気または温風の流れに沿った向きに設けられていても、通過する空気あるいは温風の大部分が板状部材の表面に接触することを見出した。従って、空気または温風が通り抜け可能な多孔質材料またはメッシュ材料で形成した板状部材に、空気または温風を清浄化する触媒機能を付加しておけば、通気抵抗は小さく抑えたままで、空気または温風を効率よく清浄化することが可能となる。
【００１１】
また、上述した本発明の室内暖房装置においては、吸気口または吹出口の少なくとも一方は、複数の清浄化板が配列されることによって、空気または温風の流れと交叉する方向に配列された複数の間隙に区画してもよい。そして、それら複数の間隙の中の一部の間隙には、空気または温風の流れを阻害する阻害部を設けることとしてもよい。
【００１２】
こうすれば、阻害部が設けられた間隙では、阻害部が設けられていない間隙に対して負圧気味となる。更に、間隙を区画している清浄化板は、空気または温風が通過可能な多孔質材料またはメッシュ材料で形成されているので、阻害部が設けられていない間隙から、阻害部が設けられた間隙に向かって、空気の流れが発生する。そして、詳細なメカニズムについては後述するが、このような空気の流れが発生すると、間隙を通過する空気あるいは温風が、清浄化板の表面に接触し易くなる。その結果、空気または温風をより一層、効率よく清浄化することが可能となる。
【００１３】
また、上述した本発明の室内暖房装置においては、複数の清浄化板を吸気口に設けることとしてもよい。
【００１４】
吸気口は吹出口に比べて温度が上がり難いので、清浄化板に付加された触媒機能が、温度の影響で劣化する事態を抑制することができる。その結果、長期に亘る使用によっても、室内の空気を安定して清浄化することが可能となる。
【００１５】
また、上述した本発明の室内暖房装置においては、光を受けることによって空気または温風を清浄化する機能が活性化する光触媒機能を、清浄化板に付加することとしても良い。
【００１６】
室内暖房装置は、昼間や、電灯などで照明された明るい室内で使用されることが通常なので、清浄化板に光触媒機能を付加しておけば、室内の光で触媒機能を活性化させておくことができるので、空気あるいは温風を効率よく清浄化することが可能となる。
【００１７】
また、清浄化板に光触媒機能が付加された本発明の室内暖房装置においては、清浄化板に向けて紫外光を照射する紫外光照射部を備えることとしてもよい。
【００１８】
紫外光を照射すれば、光触媒機能を大きく活性化させることができるので、空気あるいは温風を効率よく清浄化することが可能となる。
【図面の簡単な説明】
【００１９】
【図１】第１実施例の室内暖房装置１の大まかな内部構造を示す断面図である。
【図２】第１実施例の室内暖房装置１の吸気口４０の外観形状を示す斜視図である。
【図３】第１実施例の室内暖房装置１に搭載されている清浄化板４１と同じ多孔質材料またはメッシュ材料で平板状に形成されたフィルター４２が、空気を通過させる様子を示した説明図である。
【図４】第１実施例の室内暖房装置１に搭載されている清浄化板４１と同じ多孔質材料またはメッシュ材料で形成されたフィルター４２を、吸気口４０に適用した場合を示す説明図である。
【図５】第１実施例の室内暖房装置１の吸気口４０に複数の清浄化板４１が配列されている様子を示した説明図である。
【図６】表面に触媒成分を塗布した板状部材を空気の流れに沿った向きに配置しても、空気の清浄化が困難な理由を示した説明図である。
【図７】第１実施例の室内暖房装置１では、触媒機能が付加された清浄化板４１を空気の流れに沿った向きに配置することで、空気の清浄化が可能な理由を示した説明図である。
【図８】清浄化板４１と清浄化板４１との間を空気が流れる状態についての説明図である。
【図９】複数の吸気口４０の間の間隙の、一つ飛びの位置に阻害部４３を備える第２実施例についての説明図である。
【図１０】吸気口４０の間の間隙の一つ飛びの位置に阻害部４３を設けることで、空気を効率よく清浄化することが可能となる理由を示した説明図である。
【図１１】第２実施例の他の態様を示した説明図である。
【図１２】第２実施例の更に他の態様を示した説明図である。
【図１３】光触媒機能を活性化させる紫外ＬＥＤを搭載した第１変形例の室内暖房装置１についての説明図である。
【図１４】熱交換器を内蔵した第２変形例の室内暖房装置１を示した説明図である。
【発明を実施するための形態】
【００２０】
Ａ．第１実施例  ：
図１は、第１実施例の室内暖房装置１の大まかな内部構造を示す断面図である。図示されるように、第１実施例の室内暖房装置１は、略箱形状に形成された本体ケース１０の内側に、燃料ガスなどの燃料を燃焼させる燃焼バーナー２０や、温風ファン３０などが搭載された構造となっている。本体ケース１０の背面側には、空気を取り入れる吸気口４０が形成されており、温風ファン３０を回転させると、吸気口４０から室内の空気が本体ケース１０の内部に取り込まれるようになっている。
【００２１】
燃焼バーナー２０は、吸気口４０から取り込まれた空気の一部を用いて燃料を燃焼させることによって、高温の燃焼排気を生成する。そして、生成した燃焼排気は、燃焼に用いられなかった残りの空気と、本体ケース１０の内部で混合された後、温風となって、本体ケース１０の正面側に形成された吹出口５０から室内に吹き出される。
【００２２】
図２は、第１実施例の室内暖房装置１の吸気口４０の外観形状を示す斜視図である。図示されるように、室内暖房装置１の本体ケース１０の背面には、複数箇所（図示した例では２箇所）に吸気口４０が開口しており、それぞれの吸気口４０の入口には、複数枚の清浄化板４１が互いに平行に取り付けられている。ここで、これらの清浄化板４１は、図３に示すように、空気が通過可能な多孔質材料あるいはメッシュ材料で形成された板状の部材である。清浄化板４１を形成する材質としては、連続気泡タイプの発泡金属や、金属細線を押し固めたメッシュ材などを用いることができる。更に、清浄化板４１の表面には、塗布あるいは化学処理などの方法によって光触媒機能が付加されており、清浄化板４１を通過する空気を清浄化することが可能となっている。
【００２３】
一般的には、このような材質（空気が通過可能で、通過する空気を清浄化する触媒機能が付加された材質）で形成された板状部材は、図４に例示したように、本体ケース１０の吸気口４０を覆うフィルター４２として使用されることが通常である。しかし、このような使い方をすると、吸気口４０での通気抵抗が大きくなるので、吸入する空気量が減少してしまい、暖房機能を十分に確保することが困難となる。そこで、第１実施例の室内暖房装置１では、図５に示すように、清浄化板４１の向きを、吸気口４０から流入する空気の流れに沿わせた向きとして、更に、このような向きの清浄化板４１を、吸気口４０の入口部分に複数枚、設けることとした。
【００２４】
従来の経験では、表面に触媒機能を付加した板状部材を、図５に示すような態様で配置すると、大部分の空気が板状部材の間の間隙を通過してしまうため、空気を清浄化することが困難であった。ところが、空気が通過可能な多孔質材料あるいはメッシュ材料で形成された清浄化板４１を用いて実験してみたところ、図５に示すような態様で配置しても、十分な効率で空気を清浄化可能なことが確認された。この理由は、次のようなものと考えられる。
【００２５】
図６には、空気が通過しない材質で形成された複数枚の板状部材９１を、空気の流れに沿わせた向きに配置した場合が示されている。吸気口４０から本体ケース１０内に流入する空気は、板状部材９１と板状部材９１との間の間隙を通過していく。このときの空気の速度は、大まかに言えば、板状部材９１までの距離によらずに同じような速度（単位時間あたりの空気量を開口面積で除算して得られる速度）となる。ところが、板状部材９１の極表面付近には、ほとんど空気が流れない「速度境界層」と呼ばれる薄い層状の領域が存在することが分かっている。この速度境界層が発生する理由は次のようなものである。
【００２６】
一般に、空気を含めて、全ての流体は「粘性」と呼ばれる性質を有している。そして、粘性を有する流体は、物体に接している部分では、物体の表面に対して動き得ないことが知られている。従って、板状部材９１から十分に離れた箇所での空気が流れていても、板状部材９１の表面に接している部分では、空気が止まっていることになる。そして、その止まった空気に隣接する空気（板状部材９１の表面から少しだけ離れた部分の空気）は、板状部材９１の表面に接した止まった空気に引きずられる。このため、板状部材９１から十分に離れた箇所での空気が流れていても、板状部材９１の表面から少しだけ離れた部分では、（完全に止まっているわけではないが）空気は僅かにしか流れない。更に、その僅かにしか流れない空気に隣接する空気（板状部材９１から見て、僅かにしか流れない空気の向こう側に存在する空気）についても、僅かにしか流れない空気に引きずられる結果、空気は僅かにしか流れない。但し、板状部材９１の表面に存在する止まった空気に引きずられる場合に比べると、僅かに流れる空気に引きずられる場合の方が、空気は流れるようになる。更に、板状部材９１から見て、その向こう側に存在する空気についても同様に、僅かにしか流れない空気に引きずられる結果、空気は僅かにしか流れない。このように、板状部材９１の表面付近には、板状部材９１に接して止まっている空気に引きずられて、空気がほとんど流れない領域が存在する。この領域が、速度境界層と呼ばれる領域である。
【００２７】
そして、図６に示すように、板状部材９１を空気の流れに沿わせた向きに配置すると、板状部材９１の表面が、空気の流れない速度境界層で覆われてしまうので、大部分の空気は板状部材９１の表面に触れることなく、板状部材９１と板状部材９１との間の間隙を通過してしまう。このため、板状部材９１の表面に触媒機能を付加しても、空気を清浄化することができなかったものと考えられる。
【００２８】
これに対して、第１実施例の清浄化板４１は、空気が通過可能な多孔質材料あるいはメッシュ材料で形成されている。このため、図７（ａ）中に破線の矢印で示したように、清浄化板４１の表面部分でも空気の流れが発生することとなる。上述したように、板状部材９１の速度境界層は、物体の表面に存在する止まった空気に引きずられるようにして速度が低下することによって生成されるから、清浄化板４１の表面に存在する空気が流れていれば、速度境界層は生成されない。もちろん、清浄化板４１の表面の空気はゆっくりとしか流れないから、このゆっくりと流れる空気に引きずられて、清浄化板４１の表面付近を流れる空気の速度は低下する。しかし、その場合でも、清浄化板４１の表面にできる速度境界層の厚さは、空気が通過しない板状部材９１の表面にできる速度境界層に比べて、大幅に薄くなる。尚、図７（ａ）と対比する目的で、図７（ｂ）には、板状部材９１の表面に速度境界層が生成される様子が概念的に示されている。
【００２９】
そして、前述したように、速度境界層は、物体の表面を、空気の流れから保護する機能を有しているから、清浄化板４１の表面にできる速度境界層が大幅に薄くなれば、空気の流れは、清浄化板４１の表面に大幅に触れ易くなる。その結果、空気が通過可能な多孔質材料あるいはメッシュ材料で形成された清浄化板４１の場合は、図５に示すように、空気の流れに沿わせた向きに配置しても、大部分の空気が清浄化板４１の表面に接触して清浄化されるものと考えられる。
【００３０】
尚、図５に示したように、複数枚の清浄化板４１を空気の流れに沿わせて配置した場合、清浄化板４１と清浄化板４１との間を通過する空気の大部分が、清浄化板４１の表面に接触するためには、清浄化板４１と清浄化板４１との間での空気の状態も重要となる。そこで、以下では、この点について補足して説明しておく。
【００３１】
図８は、清浄化板４１と清浄化板４１との間での、空気の流れの状態を示した説明図である。図８（ａ）には「層流状態」と呼ばれる流れの状態が示されており、図８（ｂ）には「乱流状態」と呼ばれる流れの状態が示されている。図８（ａ）に示した層流状態では、空気は静かに流れていき、隣を流れる空気とは、ほとんど混ざり合うことはない。従って、例えば、図８（ａ）中に「ａ」、「ｂ」、「ｃ」と表示した位置から、並んで清浄化板４１と清浄化板４１との間に流れ込んだ空気は、清浄化板４１と清浄化板４１との間の間隙を通り抜けた後でも、この順番が保たれている。この様子が、ちょうど層をなして流れるようなので、層流状態と呼ばれる。仮に、清浄化板４１と清浄化板４１との間を通過する空気の流れが層流状態であった場合、清浄化板４１の表面で清浄化された空気は、図中に破線の矢印で示したように、そのまま清浄化板４１の表面付近を流れていくことになる。このため、清浄化される空気は、清浄化板４１の表面近くを流れる空気に限られてしまい、大部分の空気は清浄化板４１と清浄化板４１との間を素通りしてしまうと考えられる。
【００３２】
これに対して、図８（ｂ）に示した乱流状態では、隣を流れる空気と混ざり合いながら流れていく。例えば、図８（ｂ）中に「ａ」、「ｂ」、「ｃ」と表示した位置から流れ込む空気を、便宜上、空気ａ、空気ｂ、空気ｃとすると、これらの空気、清浄化板４１と清浄化板４１との間を通過する際に互いに混ざり合い、清浄化板４１と清浄化板４１との間の間隙を通り抜けた際には、空気ａと、空気ｂと、空気ｃとが混合した状態となる。このため、清浄化板４１の表面で清浄化された空気は、直ぐに清浄化板４１の表面付近から離れていくので、その後には、未だ清浄化されていない新たな空気が直ぐに供給されて、清浄化板４１の表面で清浄化されることになる。清浄化板４１と清浄化板４１との間を流れる空気が乱流状態にあれば、こうしたことが繰り返される事によって、大部分の空気が清浄化されることになる。
【００３３】
ここで、流体（ここでは空気）の流れの状態が、層流状態または乱流状態の何れになるかは、レイノルズ数と呼ばれる指標を用いて推測できることが知られている。レイノルズ数は、流れの代表速度（ここでは、空気の流量を断面積で割って得られる速度）と、代表寸法（ここでは隣接する板状部材９１同士の間隔）との乗算値を、流体（ここでは空気）の動粘性係数で除算することによって求められ、レイノルズ数が小さい場合には層流状態となり、大きい場合には乱流状態となる。第１実施例の室内暖房装置１について、吸気口４０から流入する空気のレイノルズ数を算出すると、流れの状態は、図８（ｂ）に示した乱流状態になっているものと考えられる。
【００３４】
もちろん、清浄化板４１と清浄化板４１との間を流れる空気が乱流状態であっても、図６を用いて前述した板状部材９１のように表面が速度境界層で覆われている場合は、空気を清浄化することはできない。この理由は、速度境界層内の空気はほとんど動かないので、速度境界層の外を流れる大部分の空気は、清浄化板４１の表面に触れることなく通過してしまうためである。ところが、図７を用いて説明したように、清浄化板４１は、空気が通過可能な多孔質材料またはメッシュ材料で形成されているので、速度境界層の生成が大幅に抑制される。その結果、空気の流れが乱流状態にあることと相まって、清浄化板４１と清浄化板４１との間を流れる空気が、次ぎ次ぎと清浄化板４１の表面に接触して清浄化されることとなって、大部分の空気を清浄化することが可能となっているのである。
【００３５】
尚、上述した第１実施例では、吸気口４０に清浄化板４１が設けられているものとして説明したが、清浄化板４１を設ける位置は必ずしも吸気口４０である必要はなく、例えば、吹出口５０に複数枚の清浄化板４１を設けても良い。但し、吹出口５０は温風が通過するのに対して、吸気口４０は室内から吸い込んだ空気が通過するので、吸気口４０に設けた方が、清浄化板４１が高温になりにくい。このため、清浄化板４１に付加した光触媒が、温度の影響で劣化する虞を回避する観点からは、吸気口４０に設けた方が望ましい。もちろん、触媒の種類によっては、高温の方が、活性が高くなる触媒も存在するので、そのような触媒機能を付加する場合には、清浄化板４１を吹出口５０に設ける方が望ましい場合も存在し得る。
【００３６】
Ｂ．第２実施例  ：
上述した第１実施例では、吸気口４０（あるいは吹出口５０）に複数枚の清浄化板４１が設けられており、吸気口４０から流入する空気（あるいは吹出口５０から流出する温風）は、清浄化板４１と清浄化板４１との間に形成されるそれぞれの間隙を通過するものとして説明した。しかし、清浄化板４１と清浄化板４１との間に形成される複数の間隙の中の、一部の間隙については、空気あるいは温風の通過を阻害する部材を設けることとしても良い。
【００３７】
図９は、清浄化板４１と清浄化板４１との間の間隙に、空気（あるいは温風）の通過を阻害する阻害部４３を設けた第2実施例についての説明図である。図示した阻害部４３は、細長い板状部材の上端側および下端側が折り曲げられて、コの字型形状に形成されている。そして、折り曲げられて形成された阻害部４３の上端面と、下端面とに、それぞれ清浄化板４１が取り付けられている。この結果、清浄化板４１と清浄化板４１との間の間隙は、阻害部４３によって閉鎖された間隙と、阻害部４３によって閉鎖されずに空気（あるいは温風）が通過可能な間隙とが、交互に配列した状態となっている。このように、阻害部４３が設けられていない複数の間隙の中で、飛び飛びの位置（図９に示した例では１つ飛ばしの位置）の間隙に阻害部４３を設ければ、空気あるいは温風を、より一層、効率よく清浄化することが可能となる。
【００３８】
図１０は、複数の間隙の飛び飛びの位置に阻害部４３を設けることによって、空気あるいは温風を効率よく清浄化することが可能な理由を示した説明図である。図示されるように、阻害部４３が設けられた間隙では、本来であれば流入する空気（あるいは温風）が流入しないので、阻害部４３が設けられていない間隙に対して負圧気味となる。そして、清浄化板４１は、空気が通過可能な多孔質材料またメッシュ材料で形成されているから、図中に破線の矢印で示したように、阻害部４３が設けられていない間隙から、阻害部４３が設けられて負圧気味となった間隙に向かって、空気の流れが発生する。このため、図７を用いて前述したように、元々、清浄化板４１の表面には僅かにしか速度境界層が形成されていないが、その速度境界層が清浄化板４１の中に吸い込まれる結果、速度境界層の厚さが更に薄くなる。その結果、空気あるいは温風が清浄化板４１の表面により一層、接触し易くなるので、より一層、効率よく空気あるいは温風を清浄化することが可能となる。
【００３９】
尚、上述した第２実施例では、複数枚の清浄化板４１は等間隔で配置されており、従って、複数の間隙に幅は同じであるものとして説明した。しかし、一部の間隙に阻害部４３を設けると、吸気口４０（あるいは吹出口５０）の通過抵抗が増加する。そこで、図１１に例示したように、阻害部４３が設けられていない間隙の幅４１ａを、阻害部４３が設けられた間隙の幅４１ｂよりも広くすることとしても良い。こうすれば、一部の間隙に阻害部４３が設けられたことによる通過抵抗の増加を抑制することが可能となる。
【００４０】
あるいは、上述した第２実施例では、阻害部４３が設けられた間隙では、阻害部４３によって間隙が閉鎖されており、空気あるいは温風が通過できないものとして説明した。しかし、阻害部４３は、必ずしも間隙を閉鎖する必要はなく、例えば、図１２に示したように、空気あるいは温風の通過を阻害するようなものであっても構わない。このような阻害部４３でも、阻害部４３が設けられた間隙では、阻害部４３が設けられていない間隙に対して負圧気味となる。その結果、阻害部４３が設けられていない間隙から、阻害部４３が設けられた間隙に向かって空気の流れが発生して、速度境界層の生成が抑制されるので、空気あるいは温風を効率よく清浄化することが可能となる。
【００４１】
Ｃ．変形例  ：
上述した第１実施例および第２実施例には、幾つかの変形例を考えることができる。以下では、これらの変形例について簡単に説明する。
【００４２】
上述した第１実施例および第２実施例の室内暖房装置１では、清浄化板４１に付加された光触媒機能を活性化させるための部品は搭載されていない。しかし、図１３（ａ）に例示した第１変形例のように、紫外光を発生させる紫外ＬＥＤ６０を本体ケース１０の内部に搭載しておき、清浄化板４１に向けて紫外光を照射することとしてもよい。紫外光は光触媒機能を活性化させる作用が大きいので、こうすれば、清浄化板４１に付加された光触媒機能を活性化させて、空気あるいは温風を効率よく清浄化することが可能となる。尚、第１変形例の紫外ＬＥＤ６０は、本発明における「紫外光照射部」に対応する。
【００４３】
また、上述した第１変形例では、複数枚の清浄化板４１を、図１３（ｂ）に例示したように、本体ケース１０の内側に向けて弧を描くように配列したり、あるいは、図１３（ｃ）に例示したように、山型となるように配列したりしても良い。こうすれば、紫外ＬＥＤ６０からの紫外光が清浄化板４１に届き易くなるので、清浄化板４１に付加した光触媒機能をより一層、活性化することが可能となる。
【００４４】
また、上述した第１実施例や、第２実施例、第１変形例では、本体ケース１０の内部に燃焼バーナー２０が搭載されており、燃焼バーナー２０で生成した燃焼排気と空気とを混合させることによって、温風を生成するものとして説明した。しかし、図１４に示したように、燃焼バーナー２０の代わりに熱交換器２１を搭載し、外部で生成した高温の温水あるいは高温の燃焼排気を熱交換器２１に供給して、室内から吸い込んだ空気と熱交換させることによって、温風を生成することもできる。このような第２変形例の室内暖房装置１の吸気口４０あるいは吹出口５０に対しても、上述した複数枚の清浄化板４１を、空気あるいは温風の流れに沿った向きに設けてやれば、吸気口４０あるいは吹出口５０での通気抵抗を増加させることなく、空気あるいは温風を清浄化することができる。その結果、室内を暖房する機能は十分に確保しながら、室内の空気も十分に清浄化することが可能となる。
【００４５】
以上、各種の実施例および変形例について説明したが、本発明は上述した実施例および変形例に限られるものではなく、その要旨を逸脱しない範囲において種々の態様で実施することが可能である。
【符号の説明】
【００４６】
１０…本体ケース、      ２０…燃焼バーナー、    ２１…熱交換器、
３０…温風ファン、      ４０…吸気口、          ４１…清浄化板、
４２…フィルター、      ４３…阻害部、          ５０…吹出口、
６０…紫外ＬＥＤ、      ９１…板状部材。
【図１】
2018179419.tif 000003
【図２】
2018179419.tif 000004
【図３】
2018179419.tif 000005
【図４】
2018179419.tif 000006
【図５】
2018179419.tif 000007
【図６】
2018179419.tif 000008
【図７】
2018179419.tif 000009
【図８】
2018179419.tif 000010
【図９】
2018179419.tif 000011
【図１０】
2018179419.tif 000012
【図１１】
2018179419.tif 000013
【図１２】
2018179419.tif 000014
【図１３】
2018179419.tif 000015
【図１４】
2018179419.tif 000016